(57)【要約】      （修正有）【課題】着脱が容易かつ快適に行われ、また着用者の体型に左右されることなく使用することができる放射線防護衣を提供する。【解決手段】着用者の少なくとも肩部及び胸部を覆う、前垂れシート状をなす前身頃２と、前身頃２の上部両側から連なって伸び着用時に背中側へ垂れ下がる左右一対の背面垂れ下がり部７を備え、前身頃２の、着用時における肩部から胸部に至る領域の内面と、左右一対の背面垂れ下がり部７の内面とに、滑り止めシート１０を備え、左右一対の背面垂れ下がり部７同士を互いに繋ぐ係止手段を有しない構成とした。【選択図】図２
0003222642.tif 000002
【実用新案登録請求の範囲】
【請求項１】
着用者の少なくとも肩部及び胸部を覆う、前垂れシート状をなす前身頃と、該前身頃の上部両側から連なって伸び着用時に背中側へ垂れ下がる左右一対の背面垂れ下がり部を備え、
前記前身頃の、着用時における肩部から胸部に至る領域の内面と、前記左右一対の背面垂れ下がり部の内面とに、滑り止めシートを備え、前記左右一対の背面垂れ下がり部同士を互いに繋ぐ係止手段を有しないことを特徴とする、放射線防護衣。
【考案の詳細な説明】
【技術分野】
【０００１】
本考案は、放射線防護衣、詳しくは、歯科の患者等が放射線防護のために着用する放射線防護衣に関する。
【背景技術】
【０００２】
診療放射線従事者は、放射線被曝による身体への健康被害を避けるため、高い遮蔽性を有する鉛等を含有した塩化ビニル樹脂等の放射線遮へいシートを用いて製作された放射線防護衣を着用して作業を行っている。診療放射線従事者のみならず、例えば、歯科エックス線撮影において患者が放射線防護衣を着用することが行われている。
【０００３】
従来、医療用の放射線防護衣として、コート型とエプロン型のものが知られている。エプロン型のものとして、特許文献１に記載されたものがある。この防護衣は、（ｉ）少なくとも左右両肩部６，６と、着用者の胸部及び腹部から膝辺りまでを覆う前掛部４と、左右両袖ぐり９，,９から前掛部４の前記膝辺りまで至る左右両側部５ａ，５ａとからなる前身頃２、及び（ｉｉ）少なくとも左右両肩部６，６と、左右両袖ぐり９，９から着用者の脇腹部に至る左右両側部５ｂ，５ｂと、係止手段である面ファスナー１２，１２を介して開閉自在に設けられた左右の背当部７，７とからなる後身頃３を連接一体に形成してなり、かつ、前身頃２または後身頃３における左右の側部（５ａ，５ｂ）それぞれに、前掛部４を着用者に固定するためのベルト１０，１０を設けている。
【０００４】
上記のような防護衣にあっては、歯科の患者が着脱するに際し、少なくとも、左右袖ぐり９，９に腕を通す動作に加え、背当部７，７を面ファスナー１２，１２で固定するという動作が必要となる。したがって、着脱が容易とは言えず、また、着脱の際、ともすると係止手段としての面ファスナーが患者のセーター等の衣服にくっついてしまうという不都合があった。
【先行技術文献】
【特許文献】
【０００５】
【特許文献１】登録実用新案第３１２３６５８号公報号公報
【考案の概要】
【考案が解決しようとする課題】
【０００６】
本考案は、上記従来の放射線防護衣の不都合を解消すべく考案されたもので、着脱が容易かつ快適に行われ、また着用者の体型に左右されることなく使用することができる放射線防護衣を提供することを目的とする。
【課題を解決するための手段】
【０００７】
（１）着用者の少なくとも肩部及び胸部を覆う、前垂れシート状をなす前身頃と、該前身頃の上部両側から連なって伸び着用時に背中側へ垂れ下がる左右一対の背面垂れ下がり部を備え、
前記前身頃の、着用時における肩部から胸部に至る領域の内面と、前記左右一対の背面垂れ下がり部の内面とに、滑り止めシートを備え、前記左右一対の背面垂れ下がり部同士を互いに繋ぐ係止手段を有しないことを特徴とする、放射線防護衣である。
【考案の効果】
【０００８】
（１）前身頃は、前垂れシート状をなすものでアームホールを有しないため、左右一対の背面垂れ下がり部を背中側へ回して垂れ下げるだけで着用は完了し、着脱は極めて簡便かつ快適に行われる。そして、前身頃の、着用時における肩部から胸部に至る領域の内面と、左右一対の背面垂れ下がり部の内面とに滑り止めシートを備えているため、この滑り止めシートが着用者の肩部を含む身体の前側（胸部)と後側（背部）の両側で衣服の外面と当接し、その摩擦力によって防護衣はずり落ちることがなく、着用状態を保持することができる。また、左右一対の背面垂れ下がり部同士を互いに繋ぐ面ファスナー等の係止手段を有しないため、係止手段が着用者の衣服にくっついてしまうようなこともない。さらに、着用者に対して防護衣を羽織るようにかけるだけで着用者の衣服にフィットして着用できるため、着用者の体型に左右されることなく使用することができ、装着感も圧迫感がなく良好である。
【図面の簡単な説明】
【０００９】
【図１】放射線防護衣１の（ａ）は正面図、（ｂ）は背面図である。
【図２】放射線防護衣１の展開状態における（ａ）は表面図、（ｂ）は裏面図である。
【図３】放射線防護衣１の着用状態を示す（ａ）は正面図、（ｂ）は背面図である。
【考案を実施するための形態】
【００１０】
着用者の少なくとも肩部及び胸部を覆う、前垂れシート状をなす前身頃と、該前身頃の上部両側から連なって伸び着用時に背中側へ垂れ下がる左右一対の背面垂れ下がり部を備え、前記前身頃の、着用時における肩部から胸部に至る領域の内面と、前記左右一対の背面垂れ下がり部の内面とに、滑り止めシートを備え、前記左右一対の背面垂れ下がり部同士を互いに繋ぐ係止手段を有しない構成とした。
【実施例】
【００１１】
放射線防護衣１は、前身頃２と、前身頃２の上部両側から連なって伸び背中側へ垂れ下がる左右一対の背面垂れ下がり部７，７とを備えている。前身頃２と左右一対の垂れ下がり部７，７は、所定の放射線遮蔽性能を有する、鉛等を含有した塩化ビニル樹脂等の放射線遮へいシートを用いて形成され、例えば、該放射線遮へいシートを中間層に有するとともに、該中間層を保護する最内層及び最外層（塩化ビニル樹脂等のシート材）を有して形成される（図示省略）。
放射線防護衣１の縁部３（太い実線で示す。）は合成樹脂シート等の適宜素材を用いた縁取りテープによって、縫着等の手段で、補強を兼ねた縁取り処理がなされている。
前身頃２は、着用者の少なくとも肩部及び胸部を覆う大きさで、アームホールを持たない、前垂れシート状をなしている。通常、肩部及び胸部とさらには腹部も覆う大きさに形成される。符号４は、襟ぐり部である。必要に応じて襟ぐり部７にネック部を付加してもよい。
【００１２】
前身頃２の、着用時における肩部から胸部に至る領域の内面と、左右一対の背面垂れ下がり部７，７の内面とには、滑り止めシート１０（ハッチングで示す。）を備えている。滑り止めシート１０は、通常、放射線防護衣１の内面に積層して設けられる。
滑り止めシート１０は、表面にエンボス加工その他の加工により細かい凹凸が施された、摩擦力の大きい、可撓性の合成樹脂シート、ゴムシート等が使用される。代表的には例えば、表面がＰＶＣ、裏面がポリエステル・レーヨンからなる、ＰＶＣレザーシートなどが挙げられる。
【００１３】
左右一対の背面垂れ下がり部７，７は、前身頃２の上部両側（襟ぐり部４）から連なって、背中側へ向けて末広がり状に伸びている。左右一対の背面垂れ下がり部７，７は、着用者の肩甲骨部を覆う形状、大きさを有している。通常、肩甲骨部を覆う長さで終止するように設けることにより、放射線遮へいシートの生地代（材料費）を軽減することができるが、必要に応じてさらに長くしてもよい。
左右一対の背面垂れ下がり部７，７同士を互いに繋ぐ係止手段は有していない。すなわち、左右一対の背面垂れ下がり部７，７の表面及び裏面には、従来設けられていたような面ファスナー等の係止手段は無い。
【００１４】
また、前身頃２の上部両側の、着用時の肩部に相当する位置には、肩ライン表示線５が施されている。肩ライン表示線５は、適宜合成樹脂テープ、合成繊維テープ等のテープ材を縫付け等の適宜手段により固定することにより設けることができる。
【００１５】
上記の放射線防護衣１は、前身頃２は、前垂れシート状をなすものでアームホールを有しないため、左右一対の背面垂れ下がり部７，７を背中側へ回して垂れ下げるだけで着用は完了し、着脱は極めて簡便かつ快適に行われる。そして、前身頃２の、着用時における肩部から胸部に至る領域の内面と、左右一対の背面垂れ下がり部７，７の内面とに滑り止めシート１０を備えているため、この滑り止めシート１０が着用者の肩部を含む身体の前側（胸部)と後側（背部）の両側で衣服の外面と当接し、その摩擦力によって防護衣１はずり落ちることがなく、着用状態を保持することができる。また、左右一対の背面垂れ下がり部７，７同士を互いに繋ぐ面ファスナー等の係止手段を有しないため、係止手段が着用者の衣服にくっついてしまうようなこともない。さらに、着用者に対して防護衣を羽織るようにかけるだけで着用者の衣服にフィットして着用できるため、着用者の体型に左右されることなく使用することができ、装着感も圧迫感がなく良好である。
また、前身頃２の上部両側の、着用時の肩部に相当する位置に、肩ライン表示線５が施されている構成により、肩ライン表示線５が適正な着用状態を示す目安となり、不適正な着用を防ぐことができる。
【００１６】
以上、実施例を挙げて実施の形態を説明したが、本考案は上記した実施例に限定されるものではなく、本考案の要旨の範囲で適宜、付加、変形等なし得るものである。
【符号の説明】
【００１７】
１  放射線防護衣
２  前身頃
３  縁部
４  襟ぐり部
５  肩ライン表示線
７  背面垂れ下がり部
１０  滑り止めシート
【図１】
0003222642.tif 000003
【図２】
0003222642.tif 000004
【図３】
0003222642.tif 000005